(57)【要約】【課題】利用者に負担をかけずに、表示端末に表示されている画像と同じ画像を簡単に表示装置の画面に表示する。【解決手段】表示装置１は、近くにある表示端末２０を検出する検出部１６を備える。画像を表示している表示端末２０に、識別情報を有する情報媒体２５が設けられる。表示端末２０が表示装置１の近くにあるとき、検出部１６は、情報媒体２５を検出する。表示装置１は、情報媒体２５から識別情報を読み取り、識別情報に基づいて表示端末２０にアクセスして、表示中の画像情報を要求する。表示端末２０は、画像情報を表示装置１に送信する。表示装置１は、画像情報に基づいて画面に表示端末２０と同じ画像を表示する。【選択図】図１
2009282826.tif 000002
【特許請求の範囲】
【請求項１】
入力された画像を画面に表示する表示装置であって、近くにある表示端末を検出する検出部と、表示端末を検出したとき、表示端末に表示されている画像情報を当該表示端末から収集して、画面に表示する制御部とを備えたことを特徴とする表示装置。
【請求項２】
検出部は、表示端末から識別情報を検出し、制御部は、識別情報に基づいて表示端末にアクセスして、画像情報を取得することを特徴とする請求項１記載の表示装置。
【請求項３】
検出部は、表示端末に設けられた識別情報を有する情報媒体を検出し、制御部は、情報媒体から識別情報を認識することを特徴とする請求項１または２記載の表示装置。
【請求項４】
情報媒体が、表示端末の表面に形成されたバーコードとされ、検出部は、バーコードを読み取ることを特徴とする請求項３記載の表示装置。
【請求項５】
検出部は、画面が見える範囲にある表示端末を検出することを特徴とする請求項４記載の表示装置。
【請求項６】
情報媒体が、表示端末に装着されたＩＣタグとされ、検出部は、ＩＣタグから識別情報を読み取ることを特徴とする請求項３記載の表示装置。
【請求項７】
検出部は、ＩＣタグと通信を行い、通信可能な範囲にある表示端末を検出することを特徴とする請求項６記載の表示装置。
【請求項８】
制御部は、画像情報を他の表示装置に転送して表示させることを特徴とする請求項１〜７のいずれかに記載の表示装置。
【請求項９】
入力された画像を画面に表示する表示装置と、表示部を有する表示端末とが通信可能とされた表示システムであって、表示装置は、近くにある表示端末を検出する検出部と、表示端末を検出したとき、表示端末に表示されている画像情報を当該表示端末から収集して、画面に表示する制御部とを備えたことを特徴とする表示システム。
【請求項１０】
検出部は、表示端末から識別情報を検出し、制御部は、識別情報に基づいて表示端末にアクセスして、表示中の画像情報を要求し、表示端末は、画像情報を表示装置に送信することを特徴とする請求項９記載の表示システム。
【請求項１１】
表示端末に、識別情報を有する情報媒体が設けられ、検出部は、情報媒体を検出することによって、近くにある表示端末を検出することを特徴とする請求項１０記載の表示システム。
【発明の詳細な説明】
【技術分野】
【０００１】
本発明は、会議等において使用可能な大型の画面を有する表示装置に関する。
【背景技術】
【０００２】
会議や打ち合わせでは、大型の画面を有する表示装置が用いられ、会議等に参加する利用者はノートパソコン等の表示端末を利用する。表示装置と表示端末とは通信可能に接続される。このような表示装置と表示端末から構成される表示システムでは、表示端末の画面に表示されている画像と同じ画像を表示装置の画面に表示することができる。
【０００３】
表示装置において画像を表示させたい場合、特許文献１に記載されているように、表示端末は、画像情報を表示装置に送信し、表示装置は、入力された画像情報を画面に表示する。
【特許文献１】特開２００２−１４９６１５号公報
【発明の開示】
【発明が解決しようとする課題】
【０００４】
表示端末に表示されている画像を表示装置に表示させるには、表示端末の利用者は、表示装置と通信するためのアプリケーションを起動させて、画像情報を送信するための操作をしなければならない。そのため、利用者に面倒な操作を強いることになる。また、この操作のために時間が費やされ、会議等の円滑な進行が妨げられるおそれがある。
【０００５】
本発明は、上記に鑑み、利用者に負担をかけずに、表示端末に表示されている画像を簡単に表示することができる表示装置の提供を目的とする。
【課題を解決するための手段】
【０００６】
本発明は、入力された画像を画面に表示する表示装置であって、近くにある表示端末を検出する検出部と、表示端末を検出したとき、表示端末に表示されている画像情報を当該表示端末から収集して、画面に表示する制御部とを備えたものである。
【０００７】
表示端末が表示装置の近くにあるとき、制御部は、自動的に表示端末から画像情報を取得する。そして、画面に、表示端末と同じ画像が表示される。そのため、表示端末の利用者は何も操作しなくても、表示端末に表示されている画像を表示装置に表示させることができる。また、制御部は、画像情報を他の表示装置に転送して表示させる。
【０００８】
検出部は、表示端末から識別情報を検出し、制御部は、識別情報に基づいて表示端末にアクセスして、画像情報を取得する。表示端末毎に、識別情報が決められている。識別情報がわかれば、制御部は、表示端末と通信でき、画像情報を収集できる。
【０００９】
検出部は、表示端末に設けられた識別情報を有する情報媒体を検出し、制御部は、情報媒体から識別情報を認識する。ここで、情報媒体が、表示端末の表面に形成されたバーコードとされ、検出部は、バーコードを読み取る。この場合、検出部は、画面が見える範囲にある表示端末を検出する。この範囲内に表示端末があれば、表示端末の画像が表示されるが、この範囲内に表示端末がなければ、情報媒体は検出されず、画像は表示されない。
【００１０】
情報媒体が、表示端末に装着されたＩＣタグとされ、検出部は、ＩＣタグから識別情報を読み取る。この場合、検出部は、ＩＣタグと通信を行う。そのため、検出部は、通信可能な範囲にある表示端末を検出する。
【００１１】
上記の表示装置と、表示部を有する表示端末とから表示システムが構成される。表示装置の検出部は、表示端末から識別情報を検出し、制御部は、識別情報に基づいて表示端末にアクセスして、表示中の画像情報を要求する。表示端末は、画像情報を表示装置に送信する。表示装置は、受信した画像情報に基づいて、画面に表示端末と同じ画像を表示する。
【発明の効果】
【００１２】
本発明によると、表示端末を表示装置に近づけることにより、表示端末の画像を表示装置の画面に表示できる。したがって、画像を表示させたい利用者は、特別な操作を行わなくてすみ、利用者の負担を減らせる。そのため、表示するための操作によって、会議等の進行が妨げられることがなくなり、会議等において利用価値の高い表示装置を提供することができる。
【発明を実施するための最良の形態】
【００１３】
本実施形態の表示装置を図１、２に示す。表示装置１は、ＬＣＤ等の大型の表示パネルからなる表示部２を備えている。なお、表示部２は、手書き入力可能なタッチパネルとされる。表示部２は、移動可能な台座３に支持される。台座３は、車輪４を有する基台５と、基台５に立設され、表示部２を支持する脚６とからなる。基台５の上面に、画像を印刷するプリンタ７が設置される。また、原稿から画像を読み取って入力するスキャナ８が設けられる。図中、９は原稿の給排紙のための開口である。
【００１４】
そして、表示装置１に対して通信可能な複数の表示端末２０が設けられる。表示装置１と表示端末２０により、表示システムが構成される。
【００１５】
表示装置１は、図２に示すように、表示部２を駆動する表示コントローラ１１と、入力された画像を一時記憶するメモリ１２と、画像を記憶するハードディスク装置、不揮発性メモリ等からなる記憶部１３と、画像の表示を制御するＣＰＵ、ＲＯＭ、ＲＡＭからなる制御部１４と、表示端末２０と通信するための通信部１５とを備えている。制御部１４は、プリンタ７およびスキャナ８を制御する。
【００１６】
表示端末２０は、例えばノートパソコンとされる。図２に示すように、画像を表示する表示部２１と、表示装置１と通信するための通信部２２と、画像を記憶するメモリ２３と、制御部２４とを備える。
【００１７】
表示装置１と複数の表示端末２０とはＬＡＮ等のネットワークに接続される。各通信部１５，２２は、所定の通信プロトコルにしたがって、有線あるいは無線によりデータの送受信を行う。なお、ネットワークに接続する代わりに、通信部１５，２２は、ブルートゥース（登録商標）や特定小電力無線のような無線通信を行ってもよい。
【００１８】
本表示システムでは、表示端末２０に表示されている画像を表示装置１の画面に表示させるために、表示装置１は、近くにある表示端末２０の有無を検出する検出部１６を備える。近くの表示端末２０が検出されると、表示装置１の制御部１４は、表示端末２０にアクセスして、表示されている画像に関する画像情報を収集して、画面に画像を表示する。
【００１９】
表示端末２０には、図１に示すように、識別用の情報媒体２５が設けられる。情報媒体２５は、２次元バーコードとされ、表示媒体２０のボディの表面に形成される。したがって、外部から情報媒体２４が見える。情報媒体２５は、表示端末２０固有の識別情報を有している。識別情報は、ＩＰアドレス、ＭＡＣアドレス、名称のように表示端末２０に固有に付与された情報である。表示装置１は、この情報に基づいて、特定の表示端末２０にアクセスすることができ、表示端末２０と通信を行える。
【００２０】
検出部１６は、カメラとされ、表示部２の上部に装着される。したがって、検出部１６による検出範囲は、画面が見える範囲となる。検出部１６は、この検出範囲内にある表示端末２０の有無を検出する。制御部１４は、検出された表示端末２０の情報媒体２５から識別情報を認識して、表示端末２０を特定する。そして、表示端末２０にアクセスして、表示中の画像情報を要求し、表示端末２０から受け取った画像情報に基づいて画面に画像を表示する。
【００２１】
表示端末２０に表示されている画像を表示装置１に表示するときの具体的な動作を図３にしたがって説明する。まず、表示端末２０は、表示部２１の画面に画像を表示する。この画像に関する画像情報は、ＶＲＡＭ等のメモリ２３に記憶されている。利用者は、検出範囲内に入るように、表示端末２０を表示装置１に近づける。このとき、情報媒体２５の形成された表面が表示装置１の画面に対向するように、表示端末２０は向けられる。
【００２２】
表示装置１において、検出部１６が検出範囲内にある表示端末２０を検出する。このとき、検出部１６は、表示端末２０の情報媒体２５の画像を読み取る。制御部１４は、検出部１６から入力された画像に対して、パターンマッチングにより情報媒体２５の画像が含まれているか検索する（Ｓ１００）。
【００２３】
情報媒体２５を検知できないとき、制御部１４は、他の表示端末が近づくのを監視する。情報媒体２５を検知すると、制御部１４は、情報媒体２５であるバーコードを読み取って復元する。そして、識別情報を認識することにより、表示端末２０を特定する（Ｓ１１０）。制御部１４は、識別情報に基づき、特定された表示端末２０にアクセスして、画像情報の送信を要求する（Ｓ１２０）。
【００２４】
表示端末２０では、表示装置１からの要求を受ける（Ｓ２００）と、制御部２４は、記憶されている画像情報を読み出し、表示装置１に送信する（Ｓ２２０）。その後、制御部２４は、待機状態に戻る。
【００２５】
表示装置１の制御部１４は、表示端末２０から画像情報を受信する（Ｓ１４０）と、表示コントローラ１１を制御して、画像を表示する。表示部２の画面に、表示端末２０に表示されている画像と同じ画像が表示される（Ｓ１６０）。
【００２６】
検出部１６は、常時、検出範囲内の表示端末２０の有無を検出しているが、制御部１４は、一定間隔で表示端末２０の動きを監視する。表示端末２０が検出範囲にないことが検出されると、制御部１４は、画面に表示されている画像を消すか、あるいはそのまま残す。この選択は、予め設定される。
【００２７】
表示端末２０が検出範囲内にあることが検出されると、制御部１４は、取得した識別情報から表示端末２０を特定する。そして、表示端末２０にアクセスして、表示端末２０から画像情報を収集する。異なる表示端末２０が検出された場合、制御部１４は、この表示端末２０に表示されている画像を表示する。このとき、新しい画像を前の画像の上に重ねる、新しい画像を前の画像と並べる、前の画像を消して新しい画像を表示する、のうちいずれかとされる。同じ表示端末２０の場合、制御部１４は、前の画像を消して、新しい画像を表示する。このようにして、表示端末２０に表示される画像の変更に追従して、表示装置１に表示される画像も変更される。
【００２８】
また、他の表示装置１ａがネットワークに接続されている場合、表示装置１の制御部１４は、画像情報を他の表示装置１ａに転送する。他の表示装置１ａの画面に、表示端末２０の画像が表示される。これによって、他の場所にいる利用者にも、必要な画像を見せることができる。したがって、テレビ会議に有用な表示システムを実現できる。
【００２９】
このように、利用者は、表示装置１に画像を表示させたい場合、表示装置１に表示端末２０を近づける。すると、表示装置１は、自動的に表示端末２０から画像を収集して、画面に表示する。したがって、利用者は特別な操作を行わなくてもよく、利用者の負担が減る。また、表示させるための操作が不要となるので、会議等の進行を妨げることがなくなる。
【００３０】
ここで、表示端末２０が表示装置１の近くにあっても、表示されている画像を表示装置１に表示させたくない場合、利用者は、表示端末２０の情報媒体２５を検出部１６に向けないように処置すればよい。例えば、表示端末２０の向きを変える、情報媒体２５を隠すといった処置を行う。検出部１６は情報媒体２５を検出できないので、表示装置１の制御部１４は、表示端末２０から画像情報を収集できない。
【００３１】
上記のバーコードの代わりに、情報媒体２５としてＩＣタグを用いてもよい。ＩＣタグには、表示端末２０の識別情報が記憶される。表示装置１の検出部１６は、ＩＣタグと通信を行うタグリーダとされる。ＩＣタグは、表示端末２０の表面あるいは内部に装着される。タグリーダは、無線によってＩＣタグと通信を行い、ＩＣタグから識別情報を読み出す。タグリーダによる検出範囲は、ＩＣタグとの通信可能な範囲となる。
【００３２】
表示端末２０が、この検出範囲内に入ると、ＩＣタグは、タグリーダから電波を受け、タグリーダに識別情報を送信する。表示装置１の制御部１４は、表示端末２０にアクセスして、画像情報を取得する。そして、画面に、表示端末２０と同じ画像が表示される。
【００３３】
ＩＣタグを用いる場合、利用者は、検出範囲内に入るように、表示端末２０を近づければよい。ここで、画像を表示させたくない場合、利用者は、表示端末２０を表示装置１に近づけなければよい。
【００３４】
なお、本発明は、上記実施形態に限定されるものではなく、本発明の範囲内で上記実施形態に多くの修正および変更を加え得ることは勿論である。表示端末は、表示部を有するとともに通信機能を有する携帯電話やＰＤＡであってもよい。
【００３５】
情報媒体としてのバーコードを表示端末のボディに形成する代わりに、表示端末の画面にバーコードを表示してもよい。画面は、表示媒体の表面の一部である。表示端末は、識別情報を含むバーコードを作成して、画面に表示する。そして、利用者は、表示端末の画面を表示装置に向ける。検出部は、このバーコードを検出する。これにより、利用者は、画像を表示させたいときに、画面にバーコードを表示させる操作を行う。表示させたくない場合、画面のバーコードを削除する。したがって、必要に応じて、表示装置の画面を簡単に変更することができる。
【００３６】
情報媒体として、外観的に識別可能な特定形態としてもよい。特定形態は、例えば表示端末の形状、表示端末の外面に形成された模様、絵、文字とされる。各表示端末の特定形態は、予め表示装置に登録される。カメラからなる検出部が表示端末の特定形態を検出すると、制御部は、入力された画像から特徴的な形態を検索し、登録された特定形態と照合する。合致したとき、制御部は、検出された特定形態を有する表示端末を特定できる。
【図面の簡単な説明】
【００３７】
【図１】本発明の表示装置と表示端末の外観を示す斜視図
【図２】表示装置および表示端末の制御ブロック図
【図３】表示端末に表示されている画像を表示するときのフローチャート
【符号の説明】
【００３８】
１    表示装置
２    表示部
１４    制御部
１６    検出部
２０    表示端末
２５    情報媒体
【図１】
2009282826.tif 000003
【図２】
2009282826.tif 000004
【図３】
2009282826.tif 000005